(57)【要約】【課題】  被写体に近づいて撮影を行うことが出来る画像処理装置を提供することを課題とする。【解決手段】  第１の範囲を移動することにより光学ズームが可能なズームレンズと、ズームレンズを通して得られる被写体の像を電気画像信号に変換する撮像手段と、電気画像信号を電子ズームするための電子ズーム手段とを有する画像処理装置が提供される。ズームレンズの位置が第１の範囲内かつ第２の範囲外である場合には、ズームレンズを第２の範囲内に移動させ、電子ズーム手段に電子ズームを行わせる。【選択図】        図３
2005217658.tif 000002
【特許請求の範囲】
【請求項１】
第１の範囲を移動することにより光学ズームが可能なズームレンズと、
前記ズームレンズを通して得られる被写体の像を電気画像信号に変換する撮像手段と、
前記電気画像信号を電子ズームするための電子ズーム手段と、
前記ズームレンズの位置が前記第１の範囲内かつ第２の範囲外である場合には、前記ズームレンズを前記第２の範囲内に移動させ、前記電子ズーム手段に電子ズームを行わせる制御手段と
を有することを特徴とする画像処理装置。
【請求項２】
さらに、第１のモード又は第２のモードを設定するための設定手段を有し、
前記制御手段は、前記第１のモードが設定されている場合には前記ズームレンズの位置が前記第２の範囲外である場合に前記ズームレンズを前記第２の範囲内に移動させて前記電子ズーム手段に電子ズームを行わせ、前記第２のモードが設定されている場合には前記ズームレンズの位置が前記第２の範囲外であっても前記ズームレンズを前記第２の範囲内に移動させずかつ前記電子ズーム手段に電子ズームを行わせないことを特徴とする請求項１記載の画像処理装置。
【請求項３】
前記制御手段は、前記第２のモードから前記第１のモードに切り替えた際に、前記ズームレンズの位置が前記第２の範囲外である場合には、前記ズームレンズを前記第２の範囲内に移動させ、前記電子ズーム手段に電子ズームを行わせることを特徴とする請求項２記載の画像処理装置。
【請求項４】
さらに、前記第１のモードが設定されている場合には前記第２のモードが設定されている場合よりも前記変換された電気画像信号のうちの狭い画像領域を記録する記録手段を有することを特徴とする請求項２又は３記載の画像処理装置。
【請求項５】
さらに、前記第１のモードが設定されている場合には前記第２のモードが設定されている場合よりも前記変換された電気画像信号のうちの狭い画像領域を表示する表示手段を有することを特徴とする請求項４記載の画像処理装置。
【請求項６】
前記記録手段は、前記第１のモードが設定されている場合には、周辺部を除き中心部の狭い画像領域の画像信号又はそれを基にした画像信号を記録することを特徴とする請求項４記載の画像処理装置。
【請求項７】
前記第１の範囲内かつ前記第２の範囲外は、ケラレが大きい前記ズームレンズの位置であることを特徴とする請求項１乃至６のいずれか１項に記載の画像処理装置。
【請求項８】
前記第１のモードはマクロモードであり、前記第２のモードは非マクロモードであることを特徴とする請求項２記載の画像処理装置。
【請求項９】
第１の範囲を移動することにより光学ズームが可能なズームレンズを通して得られる被写体の像を電気画像信号に変換する撮像ステップと、
前記ズームレンズの位置が前記第１の範囲内かつ第２の範囲外である場合には、前記ズームレンズを前記第２の範囲内に移動させ、前記電気画像信号を電子ズームする制御ステップと
を有することを特徴とする画像処理方法。
【請求項１０】
第１の範囲でレンズ駆動可能な第１のモードと、前記第１の範囲よりも狭い第２の範囲でレンズ駆動可能な第２のモードとを有する画像処理装置であって、
ズームレンズを通して得られる被写体の像を電気信号に変換する撮像手段と、
前記電気信号を電子ズームする電子ズーム手段と、
前記電子ズーム手段により電子ズームされた画像を表示する表示手段と、
前記第２のモードへの切り替えの際にレンズが前記第２の範囲外にある場合には、当該第２のモードの切り変えの際に当該レンズを前記第１の範囲内へ移動させるとともに前記電子ズーム手段により電子ズームすることによって画像を拡大して前記表示手段に表示するように制御する制御手段と
を有することを特徴とする画像処理装置。
【請求項１１】
第１の範囲でレンズ駆動可能な第１のモードと、前記第１の範囲よりも狭い第２の範囲でレンズ駆動可能な第２のモードとを有する画像処理方法であって、
ズームレンズを通して得られる被写体の像を電気信号に変換する撮像ステップと、
前記電気信号を電子ズームする電子ズームステップと、
前記電子ズームステップにおいて電子ズームされた画像を表示する表示ステップと、
前記第２のモードへの切り替えの際にレンズが前記第２の範囲外にある場合には、当該第２のモードの切り変えの際に当該レンズを前記第１の範囲内へ移動させるとともに前記電子ズームステップでの電子ズームにより画像を拡大して前記表示ステップにおいて表示するように制御する制御ステップと
を有することを特徴とする画像処理方法。
【請求項１２】
第１の範囲でレンズ駆動可能な第１のモードと、前記第１の範囲よりも狭い第２の範囲でレンズ駆動可能な第２のモードとを有する画像処理装置であって、
ズームレンズを通して得られる被写体の像を電気信号に変換する撮像手段と、
前記電気信号を電子ズームする電子ズーム手段と、
前記電子ズーム手段により電子ズームされた画像を表示する第１の表示手段と、
前記ズームレンズの移動位置を表示する第２の表示手段と、
前記第２のモードへの切り替えの際にレンズが前記第２の範囲外にある場合には、前記電子ズーム手段により電子ズームすることによって画像を拡大して前記第１の表示手段に表示するとともに、前記ズームレンズの移動に対する前記第２の表示手段による前記ズームレンズの移動位置の表示の仕方を変えるよう制御する制御手段と
を有することを特徴とする画像処理装置。
【請求項１３】
第１の範囲でレンズ駆動可能な第１のモードと、前記第１の範囲よりも狭い第２の範囲でレンズ駆動可能な第２のモードとを有する画像処理方法であって、
ズームレンズを通して得られる被写体の像を電気信号に変換する撮像ステップと、
前記電気信号を電子ズームする電子ズームステップと、
前記電子ズームステップにおいて電子ズームされた画像を表示する第１の表示ステップと、
前記ズームレンズの移動位置を表示する第２の表示ステップと、
前記第２のモードへの切り替えの際にレンズが前記第２の範囲外にある場合には、当該モードの切り替えに伴い、前記電子ズームステップにおいて電子ズームすることによって画像を拡大して前記第１の表示ステップで表示するとともに、前記ズームレンズの移動に対する前記第２の表示ステップでの前記ズームレンズの移動位置の表示の仕方を変えるよう制御する制御ステップと
を有することを特徴とする画像処理方法。
【発明の詳細な説明】
【技術分野】
【０００１】
本発明は、画像を撮像する画像処理装置及び画像処理方法に関する。
【背景技術】
【０００２】
従来、固体メモリ素子を有するメモリカードを記録媒体として、静止画像や動画像を記録再生する電子カメラ等の画像処理装置が既に市販されている。また、被写体により近づいて接写撮影を行うためのマクロモードを備えたデジタルカメラ・デジタルビデオ等の電子カメラも販売されている。
【０００３】
これらの電子カメラにおいては、装着されている撮影レンズによっては、所定の距離よりもレンズに近い被写体に焦点を合わせると、レンズの周辺部に光が入らなくなるケラレが発生する。そのため、最短撮影距離をケラレが発生しない距離に通常決定される。
【０００４】
また、下記の特許文献１には、ズームレンズを備えたビデオカメラが開示されている。
【０００５】
【特許文献１】特開平６−６６５５号公報
【発明の開示】
【発明が解決しようとする課題】
【０００６】
このような従来の電子カメラ等の画像処理装置においては、ケラレが発生しない距離までしか被写体に接近して撮影できないという問題があった。もっと被写体に近接して撮影を行いたいという要望に応えることが出来なかった。
【０００７】
本発明の目的は、被写体に近づいて撮影を行うことが出来る画像処理装置及び画像処理方法を提供することである。
【課題を解決するための手段】
【０００８】
本発明の画像処理装置は、第１の範囲を移動することにより光学ズームが可能なズームレンズと、前記ズームレンズを通して得られる被写体の像を電気画像信号に変換する撮像手段と、前記電気画像信号を電子ズームするための電子ズーム手段と、前記ズームレンズの位置が前記第１の範囲内かつ第２の範囲外である場合には、前記ズームレンズを前記第２の範囲内に移動させ、前記電子ズーム手段に電子ズームを行わせる制御手段とを有することを特徴とする。
また、本発明の画像処理方法は、第１の範囲を移動することにより光学ズームが可能なズームレンズを通して得られる被写体の像を電気画像信号に変換する撮像ステップと、前記ズームレンズの位置が前記第１の範囲内かつ第２の範囲外である場合には、前記ズームレンズを前記第２の範囲内に移動させ、前記電気画像信号を電子ズームする制御ステップとを有することを特徴とする。
また、本発明の画像処理装置は、第１の範囲でレンズ駆動可能な第１のモードと、前記第１の範囲よりも狭い第２の範囲でレンズ駆動可能な第２のモードとを有する画像処理装置であって、ズームレンズを通して得られる被写体の像を電気信号に変換する撮像手段と、前記電気信号を電子ズームする電子ズーム手段と、前記電子ズーム手段により電子ズームされた画像を表示する表示手段と、前記第２のモードへの切り替えの際にレンズが前記第２の範囲外にある場合には、当該第２のモードの切り変えの際に当該レンズを前記第１の範囲内へ移動させるとともに前記電子ズーム手段により電子ズームすることによって画像を拡大して前記表示手段に表示するように制御する制御手段とを有することを特徴とする。
また、本発明の画像処理方法は、第１の範囲でレンズ駆動可能な第１のモードと、前記第１の範囲よりも狭い第２の範囲でレンズ駆動可能な第２のモードとを有する画像処理方法であって、ズームレンズを通して得られる被写体の像を電気信号に変換する撮像ステップと、前記電気信号を電子ズームする電子ズームステップと、前記電子ズームステップにおいて電子ズームされた画像を表示する表示ステップと、前記第２のモードへの切り替えの際にレンズが前記第２の範囲外にある場合には、当該第２のモードの切り変えの際に当該レンズを前記第１の範囲内へ移動させるとともに前記電子ズームステップでの電子ズームにより画像を拡大して前記表示ステップにおいて表示するように制御する制御ステップとを有することを特徴とする。
また、本発明の画像処理装置は、第１の範囲でレンズ駆動可能な第１のモードと、前記第１の範囲よりも狭い第２の範囲でレンズ駆動可能な第２のモードとを有する画像処理装置であって、ズームレンズを通して得られる被写体の像を電気信号に変換する撮像手段と、前記電気信号を電子ズームする電子ズーム手段と、前記電子ズーム手段により電子ズームされた画像を表示する第１の表示手段と、前記ズームレンズの移動位置を表示する第２の表示手段と、前記第２のモードへの切り替えの際にレンズが前記第２の範囲外にある場合には、前記電子ズーム手段により電子ズームすることによって画像を拡大して前記第１の表示手段に表示するとともに、前記ズームレンズの移動に対する前記第２の表示手段による前記ズームレンズの移動位置の表示の仕方を変えるよう制御する制御手段とを有することを特徴とする。
また、本発明の画像処理方法は、第１の範囲でレンズ駆動可能な第１のモードと、前記第１の範囲よりも狭い第２の範囲でレンズ駆動可能な第２のモードとを有する画像処理方法であって、ズームレンズを通して得られる被写体の像を電気信号に変換する撮像ステップと、前記電気信号を電子ズームする電子ズームステップと、前記電子ズームステップにおいて電子ズームされた画像を表示する第１の表示ステップと、前記ズームレンズの移動位置を表示する第２の表示ステップと、前記第２のモードへの切り替えの際にレンズが前記第２の範囲外にある場合には、当該モードの切り替えに伴い、前記電子ズームステップにおいて電子ズームすることによって画像を拡大して前記第１の表示ステップで表示するとともに、前記ズームレンズの移動に対する前記第２の表示ステップでの前記ズームレンズの移動位置の表示の仕方を変えるよう制御する制御ステップとを有することを特徴とする。
【発明の効果】
【０００９】
被写体に近づいて接写撮影を行った場合にも、ケラレを小さくすることができ、被写体により近づいて撮影を行うことができる。
【発明を実施するための最良の形態】
【００１０】
以下、図面を参照して本発明の実施形態を説明する。
図１は、本発明の実施形態の構成を示す図である。
図１において、１００は画像処理装置である。
【００１１】
１０はズームレンズ、１１はフォーカスレンズ、１２は絞り機能を備えるシャッター、１４は光学像を電気画像信号に変換する撮像素子、１６は撮像素子１４のアナログ信号出力をディジタル信号に変換するＡ／Ｄ変換器である。
【００１２】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１３】
２０は画像処理回路であり、 Ａ／Ｄ変換器１６からのデータ或いはメモリ制御回路２２からのデータに対して所定の画素補間処理や色変換処理を行う。
【００１４】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１５】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１７】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１８】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００１９】
画像表示部２８を用いて撮像した画像データを逐次表示すれば、電子ファインダ機能を実現することが可能である。
【００２０】
また、画像表示部２８は、システム制御回路５０の指示により任意に表示をオン（ＯＮ）／オフ（ＯＦＦ）することが可能であり、表示をＯＦＦにした場合には画像処理装置１００の電力消費を大幅に低減することが出来る。
【００２１】
３０は撮影した静止画像や動画像を格納するためのメモリであり、所定枚数の静止画像や所定時間の動画像を格納するのに十分な記憶容量を備えている。
【００２２】
これにより、複数枚の静止画像を連続して撮影する連写撮影やパノラマ撮影の場合にも、高速かつ大量の画像書き込みをメモリ３０に対して行うことが可能となる。
【００２３】
また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０は絞り機能を備えるシャッター１２を制御する露光制御手段であり、フラッシュ４８と連携することによりフラッシュ調光機能も有するものである。
【００２６】
４２はフォーカスレンズ１１のフォーカシングを制御する測距制御手段、４４はズームレンズ１０のズーミングを制御するズーム制御手段、４６はバリアである保護手段１０２の動作を制御するバリア制御手段である。
【００２７】
４８はフラッシュであり、ＡＦ補助光の投光機能、フラッシュ調光機能も有する。
【００２８】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２９】
５０は画像処理装置１００全体を制御するシステム制御回路、５２はシステム制御回路５０の動作用の定数、変数、プログラム等を記憶するメモリである。
【００３０】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３１】
また、表示部５４は、その一部の機能が光学ファインダ１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３２】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３３】
５６は電気的に消去・記録可能な不揮発性メモリであり、例えばＥＥＰＲＯＭ等が用いられる。
【００３４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３５】
ここで、これらの操作手段の具体的な説明を行う。
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３７】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３８】
６６は画像表示ＯＮ／ＯＦＦスイッチで、画像表示部２８のＯＮ／ＯＦＦを設定することが出来る。
【００３９】
この機能により、光学ファインダ１０４を用いて撮影を行う際に、ＴＦＴ  ＬＣＤ等から成る画像表示部２８への電流供給を遮断することにより、省電力を図ることが可能となる。
【００４０】
６８はマクロＯＮ／ＯＦＦスイッチで、接写撮影のＯＮ／ＯＦＦを設定することが出来る。
【００４１】
７０は各種ボタンやタッチパネル等からなる操作部で、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。６７は、ズームレバーである。
【００４２】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４４】
９０及び９４はメモリカードやハードディスク等の記録媒体とのインターフェース、９２及び９６はメモリカードやハードディスク等の記録媒体と接続を行うコネクタ、９８はコネクタ９２及び／又は９６に記録媒体２００及び／又は２１０が装着されているか否かを検知する記録媒体着脱検知手段である。
【００４５】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４６】
インターフェース及びコネクタとしては、ＰＣＭＣＩＡカードやＣＦ（コンパクトフラッシュ（Ｒ））カード等の規格に準拠したものを用いて構成して構わない。
【００４７】
さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４８】
１０２は、画像処理装置１００のレンズ１０を含む撮像部を覆う事により、撮像部の汚れや破損を防止するバリアである保護手段である。
【００４９】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５１】
１１２は通信手段１１０により画像処理装置１００を他の機器と接続するコネクタ或いは無線通信の場合はアンテナである。
【００５２】
２００はメモリカードやハードディスク等の記録媒体である。
【００５３】
記録媒体２００は、半導体メモリや磁気ディスク等から構成される記録部２０２、画像処理装置１００とのインターフェース２０４、画像処理装置１００と接続を行うコネクタ２０６を備えている。
【００５４】
２１０はメモリカードやハードディスク等の記録媒体である。
【００５５】
記録媒体２１０は、半導体メモリや磁気ディスク等から構成される記録部２１２、画像処理装置１００とのインターフェース２１４、画像処理装置１００と接続を行うコネクタ２１６を備えている。
【００５６】
図２から図５を参照して、本実施形態の動作を説明する。
図２は本実施形態の画像処理装置１００の主ルーチンのフローチャートを示す。
図２を用いて、画像処理装置１００の動作を説明する。
【００５７】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００５８】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、ステップＳ１０３に戻る。
【００５９】
モードダイアル６０が撮影モードに設定されていたならば（Ｓ１０３）、ステップＳ１０６に進む。
【００６０】
モードダイアル６０がその他のモードに設定されていたならば（Ｓ１０３）、システム制御回路５０は選択されたモードに応じた処理を実行し（Ｓ１０４）、処理を終えたならばステップＳ１０３に戻る。
【００６１】
ステップＳ１０６において、システム制御回路５０は、電源制御手段８０により電池等により構成される電源８６の残容量や動作状況が画像処理装置１００の動作に問題があるか否かを判断し（Ｓ１０６）、問題があるならば表示部５４を用いて画像や音声により所定の警告表示を行った後に（Ｓ１０８）、ステップＳ１０３に戻る。
【００６２】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、ステップＳ１０３に戻る。
【００６３】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【００６４】
システム制御回路５０は、画像表示部２８の画像表示をＯＮ状態に設定し（Ｓ１１０）、さらに撮像した画像データを逐次表示するスルー表示状態に設定して（Ｓ１１１）、ステップＳ１１２に進む。
【００６５】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【００６６】
システム制御回路５０は、マクロＯＮ／ＯＦＦスイッチ６８が押下されたかどうかを判定し（Ｓ１１２）、押下されていた場合はマクロ処理を行う（Ｓ１１３）。
このマクロ処理（Ｓ１１３）の詳細は図３を用いて後述する。
【００６７】
マクロＯＮ／ＯＦＦスイッチ６８が押下されていない場合は、ステップＳ１１４に進む。シャッタースイッチ（ＳＷ）の状態を判定し（Ｓ１１４）、押下されていた場合は撮影・記録処理を行う（Ｓ１１５）。撮影・記録処理の詳細は広く知られており、ここでは特に説明しない。シャッタースイッチが押下されていない場合は、ステップＳ１０３に戻る。
【００６８】
図３から図５を用いて、図２のステップＳ１１３におけるマクロ処理を説明する。
【００６９】
図４は、撮像素子のうち、マクロ・非マクロ時に記録される領域を説明する図である。マクロ時には、非マクロ時よりも小さな領域の画像信号が記録される。最至近の被写体に焦点を合わせると、撮像素子１４の周辺部に光が入らなくなるケラレが発生する。そのため、撮像素子１４の画像信号のうち、ケラレの発生しない中心部分の画像信号だけを記録する。また、電子ファインダ表示も、ケラレの発生しない範囲の画像のみを表示する。撮像素子の一部分を拡大して表示する機能は、電子ズームとして広く知られている。また、撮像素子の一部分の画像信号のみを記録する方法も、電子ズームと合わせてよく知られている。撮像素子のうち、ケラレが発生しない範囲は、あらかじめ不揮発性メモリ５６に記憶しておく。
【００７０】
図５は、ズーム位置とケラレの関係を説明する図である。広角側（Ｗ）と望遠側（Ｔ）で、ケラレが大きいことを示している。今、ズームレンズ１０のズーム位置が、図５の（２）の●印で示した位置であったとする。このときに、マクロ処理をする場合は、ケラレが小さい図５の（３）の●印で示した位置までズームレンズ１０を移動する。レンズの特性に合わせて、ケラレが小さい範囲を、あらかじめ不揮発性メモリ５６に記憶しておく。システム制御回路５０は、不揮発性メモリ５６に記憶されているケラレが小さい範囲のうち、現在のズーム位置に最も近いズーム位置までズームレンズ１０を移動する。
【００７１】
図３は、図２のステップＳ１１３におけるマクロ処理の詳細なフローチャートである。
システム制御回路５０は、現在マクロモード中かどうかを判定するために、マクロフラグの状態を調べる（Ｓ２０１）。マクロフラグがＯＦＦであったならば、マクロモードをＯＮにする処理を行うために、ステップＳ２０２に進む。マクロフラグをＯＮにし（Ｓ２０２）、電子ズームに設定する（Ｓ２０３）。電子ズームに設定することによって、撮像した画像データのうちケラレの発生しない部分のみを拡大して画像表示部２８に逐次表示する。
【００７２】
次に、システム制御回路５０は現在のズーム位置を取得し（Ｓ２０４）、現在のズーム位置がケラレが大きい領域かどうかを判定する（Ｓ２０５）。ケラレが大きい領域ではなかった場合は処理を終了する。一方、ケラレが大きい領域であったときは、ケラレが小さい領域のうち現在のズーム位置に最も近い位置にズームレンズ１０を移動し（Ｓ２０６）、フォーカスレンズ１１を至近側に移動する（Ｓ２０７）。フォーカスレンズを至近側に移動する際には、レンズの特性に合わせて移動すれば良い。例えば焦点距離が５ｃｍになるように移動してもよい。
【００７３】
一方、ステップＳ２０１でマクロフラグがＯＮであった場合は、システム制御回路５０はマクロモードを解除する処理を行う。マクロフラグをＯＦＦにして（Ｓ２０８）、フォーカスレンズ１１を通常の位置に戻す（Ｓ２０９）。フォーカスレンズ１１を通常の位置に戻すことによって、撮像素子の周辺部のケラレが発生しなくなるので、電子ズームを解除する（Ｓ２１０）。
【００７４】
＜ズーム位置の表示について＞
図６は、画像表示部２８に表示するズームバーの表示の一例である。ズームバーは現在のズーム位置を表すために表示する。図６の（１）は、ズームバーの表示の一例である。Wはワイド端（広角）、Ｔはテレ端（望遠）であることを表現している。図６の（１）では、テレ端の近くにズームが位置している例である。すなわち、システム制御回路５０は、ズームレバー６７を操作されたときには、ズームレンズ１０を駆動させるとともに、図６の（１）に示したようなズームバーを表示する。
【００７５】
いま、マクロ設定ＯＦＦの状態で、図６の（２）のズームバーを表示していたとする。この状態で、マクロ設定をＯＮにすると、光学ズームがケラレの発生しにくい範囲のうち、最も望遠（テレ端）側の位置に移動するとともに、図６の（３）に示すズームバーを表示する。すなわち、ズームバーの長さＸ自体は変更することなく、ズームレバー６７に伴う稼動ズーム位置範囲の幅（量）を変更（この場合は大きく）するものである。図６の（３）は、ケラレの発生しにくい範囲のうち最も広角側をテレ端、ケラレの発生しにくい範囲のうち最も望遠側をワイド端として長さＸで表示している。図６の（２）の状態でマクロ設定をＯＮにすると、光学ズームがケラレの発生しにくい範囲のうち、最も望遠側に移動するので、テレ端として長さＸで表示される。共に長さＸで表示するので、ズームバーに現在のズーム位置をユーザに確認し易くする効果がある。
【００７６】
システム制御回路５０は、マクロ時にズームレバー６７を操作されたときは、ケラレの発生しにくい範囲でのみズームレンズ１０の駆動を許可する。
【００７７】
図７は、画像表示部２８に表示するズームバーの表示のもうひとつの例である。いま、マクロ設定ＯＦＦの状態で、図７の（２−ａ）のズームバーを表示していたとする。この状態で、マクロ設定をＯＮにすると、図７の（２−ｂ）のズームバーを表示する。図７の（２−ｂ）のズームバーの表示のうち、▽はケラレの発生しにくい範囲を表している。マクロ時はケラレの発生しにくい範囲でのみ光学ズームが移動する。マクロ時に光学ズームが移動しない範囲（ケラレが大きい範囲）７００は、黄色で塗りつぶすことにより、ズームバーの長さＸを変更せずに光学ズームが移動しないことを表現している。マクロ設定のＯＮ／ＯＦＦにかかわらず、長さＸのままなので、ユーザにマクロ設定のＯＮ／ＯＦＦにかかわらず現在のズーム位置を確認し易くする効果がある。
【００７８】
本実施形態では、マクロ時に光学ズームが移動しない範囲７００を黄色で塗りつぶしているが、どのような色でも構わない。例えば、青・赤・緑など、識別可能な色であれば、どのような色でも構わない。また、縞々模様にするなどしても良い。
【００７９】
＜その他の実施形態＞
上述の実施形態では、画像表示部２８を必ずＯＮにするものとして説明を行ったが、画像表示ＯＮ／ＯＦＦスイッチ６６により、画像表示部２８のＯＮ／ＯＦＦを可能なように構成しても構わない。画像表示部２８をＯＦＦにするとマクロモードを解除するとともに、画像表示部２８がＯＦＦのときはマクロ設定を許可しないように構成しても良い。画像表示部２８がＯＦＦのときは、電子ファインダ、ズームバーが表示されないため、マクロ設定になっているのが使用者には分からない。そのため、画像表示部２８がＯＦＦのときには、マクロ撮影を行わないようにすることによって、誤操作を防ぐことが可能となる。
【００８０】
以上のように、至近側にフォーカスを合わせるときは、電子ズーム（Ｓ２０２）により、撮像素子のうちケラレの生じない範囲の画像信号（静止画像又は動画像）を記録する（Ｓ１１５）。現在の光学ズーム位置を取得して（Ｓ２０４）、現在の光学ズームの位置が、ケラレが大きい位置であった場合は（Ｓ２０５）、光学ズームをケラレが小さいズーム位置に移動する（Ｓ２０６）。電子ズームにしてもケラレが発生する場合は、光学ズームをケラレが小さい位置に移動することによって、フォーカスを至近にしてもケラレが生じないようにし、その後、フォーカスレンズを至近側に移動する（Ｓ２０７）。
【００８１】
図１において、ズームレンズ１０は、第１の範囲を移動することにより光学ズームが可能である。撮像素子１４は、ズームレンズ１０を通して得られる被写体の像を電気画像信号に変換する。電子ズーム手段は、その電気画像信号を電子ズームする。マクロスイッチ６８は、マクロモード又は非マクロモードを設定することができる。
【００８２】
マクロモードに切り替え設定された場合には、ズームレンズ１０の位置が前記第１の範囲内かつ前記第２の範囲外である場合（ケラレが大きいズームレンズ位置の場合）にズームレンズ１０を前記第２の範囲内に移動させて電子ズーム手段に電子ズームを行わせる。非マクロモードに切り替え設定された場合には、ズームレンズ１０の位置が前記第２の範囲外であってもズームレンズ１０を前記第２の範囲内に移動させずかつ電子ズーム手段に電子ズームを行わせない。
【００８３】
図４に示すように、マクロモードが設定されている場合には非マクロモードが設定されている場合よりも撮像素子１４により変換された電気画像信号のうちの狭い画像領域が表示及び記録される。その画像領域は、周辺部を除いた中心部の狭い画像領域である。その画像領域の画像信号又はそれを基にした画像信号が表示及び記録される。
【００８４】
これにより、被写体に近づいてマクロモードにより接写撮影を行った場合にも、ケラレを小さくすることができる。すなわち、被写体により近づいて撮影を行うことができる。
【００８５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８６】
【図１】本発明の一実施形態の構成ブロック図である。
【図２】本実施形態の主ルーチンのフローチャートである。
【図３】本実施形態のマクロ処理のフローチャートである。
【図４】本実施形態の、撮像素子のうちマクロ・非マクロ時に記録される領域を説明する図である。
【図５】本実施形態の、ズーム位置によるケラレが発生しにくい範囲を説明する図である。
【図６】本実施形態の、ズームバーの表示の一例を示す図である。
【図７】本実施形態の、ズームバーの表示の一例を示す図である。
【符号の説明】
【００８７】
１０  ズームレンズ
１１  フォーカスレンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６７  ズームレバー
６８  マクロＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
【図１】
2005217658.tif 000003
【図２】
2005217658.tif 000004
【図３】
2005217658.tif 000005
【図４】
2005217658.tif 000006
【図５】
2005217658.tif 000007
【図６】
2005217658.tif 000008
【図７】
2005217658.tif 000009